(57)【特許請求の範囲】
【請求項１】
機械上で継ぎ合せ出来る抄紙機布が：
第一基礎布、前記第一基礎布は第一機械方向（ＭＤ）糸のシステムと第一直交方向（ＣＤ）糸のシステムを持っており、第一ＭＤ糸の前記システムの前記糸は長さ、幅、二つの縦縁及び二つの横縁を持つ矩形に前記第一基礎布を形成するため第一ＣＤ糸の前記システムの前記糸と織合わされ、前記第一ＭＤ糸は前記二つの横縁の各々に沿って第一継ぎ合せループを形成していること；
第二基礎布、前記第二基礎布は第二ＭＤ糸のシステムと第二ＣＤ糸のシステムを持っており、第二ＭＤ糸の前記システムの前記糸は長さ、幅、二つの縦縁及び二つの横縁を持つ矩形に前記第二基礎布を形成するため第二ＣＤ糸の前記システムの前記糸と織合わされ、前記第二ＭＤ糸は前記二つの横縁の各々に沿って第二継ぎ合せループを形成していること；
前記第一基礎布と前記第二基礎布は実質的に等価な長さと幅を有しており、又前記第一基礎布と前記第二基礎布を通って絡み合わされた少なくとも一層のステープルファイバー打綿により互いに連結されていて、前記第一基礎布と前記第二基礎布は連結した時に縦方向にお互いに関してずらされて、それ故第一と第二の継ぎ合せループの両方は前記第一と第二基礎布の前記二つの横縁と同様に縦方向にお互いに関してずらされて、そしてそれによって前記第一基礎布の前記二つの横縁の一つにおける前記第一継ぎ合せループは前記第二基礎布の継目でない領域と隣接し、そしてそれによって前記第二基礎布の前記二つの横縁の一つにおける前記第二継ぎ合せループは前記第一基礎布の継目でない領域と隣接し、前記第一基礎布の前記継目でない領域は第一の隣接した継目でない領域であり、前記第二基礎布の前記継目でない領域は第二の隣接した継目でない領域であること；
前記機械上で継ぎ合せ出来る抄紙機布が、前記第一基礎布の前記二つの横縁における前記第一継ぎ合せループを絡み合わせて且つ第一継目を形成するように絡み合わされた第一継目ループにより規定された通路に第一ピントルを導入すること、及び前記第二基礎布の前記二つの横縁における前記第二継ぎ合せループを絡み合わせて且つ第二継目を形成するように絡み合わされた第二継目ループにより規定された通路に第二ピントルを導入することにより、エンドレスループの形に連結される時、前記第二と第一の隣接した継目でない領域はそれぞれ前記第一と第二の継目に隣接していてそれぞれ内部に付加的な流れ抵抗材料を持っており、そしてそれによって前記機械上で継ぎ合せできる抄紙機布が、前記第一と第二細長い継目の近傍において、その他の残りの部分と実質的には同等な空気と水に対する透過性を持つように、第一と第二基礎布の前記隣接した継目でない領域が、それぞれ内部に付加的な流れ抵抗材料を有していること；
より成っている上記機械上で継ぎ合せ出来る抄紙機布。
【請求項２】
前記付加的な流れ抵抗材料が前記第一と第二基礎布の前記隣接した継目でない領域中の付加的なＣＤ糸である、請求項１に記載の機械上で継ぎ合せ出来る抄紙機布。
【請求項３】
前記付加的なＣＤ糸が、抄紙機布の機織工程の間に、前記第一と第二基礎布の前記隣接した継目でない領域の双方の内部に組込まれる、請求項２に記載の機械上で継ぎ合せ出来る抄紙機布。
【請求項４】
前記付加的なＣＤ糸が、前記第一ＣＤ糸が前記第一ＭＤ糸と織合わすことによるものと同一の織パターンで、前記第一と第二ＭＤ糸と織合わされる、請求項３に記載の機械上で継ぎ合せ出来る抄紙機布。
【請求項５】
前記付加的なＣＤ糸が、前記第二ＣＤ糸が前記第二ＭＤ糸と織合わすことによるものと同一の織パターンで、前記第一と第二ＭＤ糸と織合わされる、請求項３に記載の機械上で継ぎ合せ出来る抄紙機布。
【請求項６】
前記付加的なＣＤ糸が、前記第一ＣＤ糸が前記第一ＭＤ糸と織合わすことによるものとは異なる織パターンで、前記第一と第二ＭＤ糸と織合わされる、請求項３に記載の機械上で継ぎ合せ出来る抄紙機布。
【請求項７】
前記付加的なＣＤ糸が、前記第二ＣＤ糸が前記第二ＭＤ糸と織合わすことによるものとは異なる織パターンで、前記第一と第二ＭＤ糸と織合わされる、請求項３に記載の機械上で継ぎ合せ出来る抄紙機布。
【請求項８】
前記付加的なＣＤ糸が、抄紙機布の機織工程の後で、前記第一と第二基礎布の前記隣接した継目でない領域の中に挿入される、請求項２に記載の機械上で継ぎ合せ出来る抄紙機布。
【請求項９】
前記付加的なＣＤ糸が、抄紙機布の機織工程の後で、前記第一と第二基礎布の前記隣接した継目でない領域の中に縫込まれる、請求項２に記載の機械上で継ぎ合せ出来る抄紙機布。
【請求項１０】
前記付加的なＣＤ糸が単繊維、多繊維、組まれた、編まれた及び撚られた糸から成っている各種糸のグループから選ばれる、請求項２に記載の機械上で継ぎ合せ出来る抄紙機布。
【請求項１１】
前記付加的なＣＤ糸が円形、卵形、矩形及び葉片形より成るグループから選ばれた断面形状を有している糸を含む、請求項２に記載の機械上で継ぎ合せ出来る抄紙機布。
【請求項１２】
前記付加的なＣＤ糸が前記第一と第二ＣＤ糸の少なくとも一つと同じタイプの糸である、請求項２に記載の機械上で継ぎ合せ出来る抄紙機布。
【請求項１３】
前記付加的なＣＤ糸が前記第一と第二ＣＤ糸の少なくとも一つとは異なるタイプの糸である、請求項２に記載の機械上で継ぎ合せ出来る抄紙機布。
【請求項１４】
前記付加的な流れ抵抗材料が前記第一と第二基礎布の前記隣接した継目でない領域に付加された織られた材料のリボンである、請求項１に記載の機械上で継ぎ合せ出来る抄紙機布。
【請求項１５】
前記織られた材料のリボンが縫製により取付けられる、請求項１４に記載の機械上で継ぎ合せ出来る抄紙機布。
【請求項１６】
前記織られた材料のリボンが接着剤により取付けられる、請求項１４に記載の機械上で継ぎ合せ出来る抄紙機布。
【請求項１７】
前記付加的な流れ抵抗材料が前記第一と第二基礎布の前記隣接した継目でない領域に付加された不織材料のリボンである、請求項１に記載の機械上で継ぎ合せ出来る抄紙機布。
【請求項１８】
前記不繊材料のリボンが縫製により取付けられる、請求項１７に記載の機械上で継ぎ合せ出来る抄紙機布。
【請求項１９】
前記不繊材料のリボンが接着剤により取付けられる、請求項１７に記載の機械上で継ぎ合せ出来る抄紙機布。
【請求項２０】
前記付加的な流れ抵抗材料が前記第一と第二基礎布の前記隣接した継目でない領域に付加された重合体フィルムのリボンである、請求項１に記載の機械上で継ぎ合せ出来る抄紙機布。
【請求項２１】
前記重合体フィルムのリボンが縫製により取付けられる、請求項２０に記載の機械上で継ぎ合せ出来る抄紙機布。
【請求項２２】
前記重合体フィルムのリボンが接着剤により取付けられる、請求項２０に記載の機械上で継ぎ合せ出来る抄紙機布。
【請求項２３】
前記付加的な流れ抵抗材料が前記第一と第二基礎布の前記隣接した継目でない領域における発泡重合樹脂である、請求項１に記載の機械上で継ぎ合せ出来る抄紙機布。
【請求項２４】
前記付加的な流れ抵抗材料が前記第一と第二基礎布の前記隣接した継目でない領域における液体樹脂の硬化物である、請求項１に記載の機械上で継ぎ合せ出来る抄紙機布。
【請求項２５】
前記第一と第二基礎布の少なくとも一つが複層基礎布である、請求項１に記載の機械上で継ぎ合せ出来る抄紙機布。
【請求項２６】
前記第一と第二基礎布が共に複層基礎布である、請求項１に記載の機械上で継ぎ合せ出来る抄紙機布。
【請求項２７】
前記第一基礎布の前記第一ＭＤ糸が前記第二基礎布の前記第二ＭＤ糸と異なる、請求項２６に記載の機械上で継ぎ合せ出来る抄紙機布。
【請求項２８】
前記第一基礎布の前記第一ＣＤ糸が前記第二基礎布の前記第二ＣＤ糸と異なる、請求項２６に記載の機械上で継ぎ合せ出来る抄紙機布。
【請求項２９】
前記第一基礎布が前記第二基礎布と同じ織パターンで織られている、請求項２６に記載の機械上で継ぎ合せ出来る抄紙機布。
【請求項３０】
前記第一基礎布が前記第二基礎布とは異なる織パターンで織られている、請求項２６に記載の機械上で継ぎ合せ出来る抄紙機布。
【請求項３１】
前記第一と第二基礎布のうち少なくとも一つが単層基礎布である、請求項１に記載の機械上で継ぎ合せ出来る抄紙機布。
【請求項３２】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されているエンドレス織基礎布より成っている、請求項１に記載の機械上で継ぎ合せ出来る抄紙機布。
【請求項３３】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されている不織網より成っている、請求項１に記載の機械上で継ぎ合せ出来る抄紙機布。
【請求項３４】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されている螺旋状に巻かれた基礎布より成っている、請求項１に記載の機械上で継ぎ合せ出来る抄紙機布。
【請求項３５】
更に第三基礎布より成っていて、
前記第三基礎布は第三ＭＤ糸のシステムと第三ＣＤ糸のシステムを有していること、第三ＭＤ糸の前記システムの前記糸は長さ、幅、二つの縦縁と二つの横縁を持つ矩形で前記第三基礎布を形成するように第三ＣＤ糸の前記システムの前記糸と織合わされていること、前記第三ＭＤ糸は前記二つの横縁の各々に沿って第三継ぎ合せループを形成していること；
前記第三基礎布は実質的に前記第一と第二基礎布のそれと等価な長さと幅を有しており、又前記第三基礎布を通って絡み合わされた少なくとも一層のステープルファイバー打綿により前記第一と第二基礎布に連結されていること、前記第三基礎布は連結した時に縦方向に前記第一と第二基礎布に関してずらされていて、それ故前記第三基礎布の前記二つの横縁の双方における前記第三継ぎ合せループは前記第一と第二基礎布の前記二つの横縁の両方における前記第一と第二の継ぎ合せループと縦方向にお互いに関して同様にずらされ、そしてそれによって前記第三基礎布の前記二つの横縁の一つにおける前記第三継ぎ合せループは前記第一と第二基礎布の継目でない領域と隣接し、又前記第一基礎布の前記二つの横縁の一つにおける前記第一継ぎ合せループは前記第三基礎布の継目でない領域と隣接し、又前記第二基礎布の前記二つの横縁の一つにおける前記第二継ぎ合せループは前記第三基礎布の継目でない領域と隣接すること；
第一、第二と第三基礎布の前記隣接した継目でない領域がその中に含まれた付加的な流れ抵抗材料を有していること、その結果として、前記機械上で継ぎ合せ出来る抄紙機布が、前記第一基礎布の前記二つの横縁における前記第一継ぎ合せループを絡み合わせて且つ第一継目を形成するように絡み合わされた第一継目ループにより規定された通路に第一ピントルを導入すること；及び前記第二基礎布の前記二つの横縁における前記第二継ぎ合せループを絡み合わせて且つ第二継目を形成するように絡み合わされた第二継目ループにより規定された通路に第二ピントルを導入すること；及び前記第三基礎布の前記二つの横縁における前記第三継ぎ合せループを絡み合わせて且つ第三継目を形成するように絡み合わされた第三継目ループにより規定された通路に第三ピントルを導入することにより、エンドレスループの形に連結される時、前記第一の継目は継目でない領域と隣接しその継目でない領域は前記第二と第三の基礎布のその中に付加的な流れ抵抗材料を有し：前記第二の継目は継目でない領域と隣接しその継目でない領域は前記第一と第三の基礎布のその中に付加的な流れ抵抗材料を有し：前記第三の継目は継目でない領域と隣接しその継目でない領域は前記第一と第二の基礎布のその中に付加的な流れ抵抗材料を有し、そしてそれによって前記機械上で継ぎ合せできる抄紙機布が、前記第一、第二と第三継目の近傍において、その他の残りの部分と実質的には同等な空気と水に対する透過性を持つこと、；
を特徴とする請求項１に記載の機械上で継ぎ合せ出来る抄紙機布。
【請求項３６】
基礎布、前記基礎布は第一機械方向（ＭＤ）糸のシステム、第二機械方向（ＭＤ）糸のシステム、及び少なくとも一つの機械に直交する方向（ＣＤ）糸のシステムを有していること、前記少なくとも一つのＣＤ糸のシステムは長さ、幅、二つの縦縁と二つの横縁を持つ矩形に一体で織られた多層構造を形成するように前記第一と第二ＭＤ糸のシステムと織合わされていること、前記第一と第二ＭＤ糸は前記二つの横縁の各々に沿って布の厚さ方向に互いに分離した二つの別個の列でそれぞれ第一と第二継目ループを形成していること、前記二つの別個の列は前記基礎布の縦方向に互いにずらされていて、それ故前記基礎布の一つの横縁における前記第一継ぎ合せループはそれの継目でない領域と隣接し、又前記基礎布の他の横縁における前記第二継ぎ合せループはそれのもう一つの継目でない領域と隣接し、前記二つの継目は継目でない領域と隣接すること；
前記隣接した継目でない領域がその中に含まれる付加的な流れ抵抗材料を有していること、その結果として、前記機械上継ぎ合せ出来る抄紙機布が、前記基礎布の前記二つの横縁における前記第一継ぎ合せループを互いに絡み合わて且つ第一継目を形成するように絡み合わされた第一継目ループにより規定された通路に第一ピントルを導入すること、及び前記基礎布の前記二つの横縁における前記第二継ぎ合せループを互いに絡み合わせて且つ第二継目を形成するように絡み合わされた第二継目ループにより規定された通路に第二ピントルを導入することにより、エンドレスループの形に連結される時、前記第一と第二の継目は前記隣接する継目でない領域の一つにそれぞれ隣接しその継目でない領域はその中に付加的な流れ抵抗材料を持っており、そしてそれによって前記機械上で継ぎ合せできる抄紙機布が、前記第一と第二継目の近傍において、その他の残りの部分と実質的には同等な空気と水に対する透過性を持つこと；
より成っている機械上で継ぎ合せ出来る抄紙機布。
【請求項３７】
前記付加的な流れ抵抗材料が前記基礎布の前記隣接した継目でない領域における付加的なＣＤ糸である、請求項３６に記載の機械上で継ぎ合せ出来る抄紙機布。
【請求項３８】
前記付加的なＣＤ糸が、抄紙機布の機織工程の間に、前記基礎布の前記隣接した継目でない領域の中に組込まれる、請求項３７に記載の機械上で継ぎ合せ出来る抄紙機布。
【請求項３９】
前記付加的なＣＤ糸が、抄紙機布の機織工程の後で、前記基礎布の前記隣接した継目でない領域の中に挿入される、請求項３７に記載の機械上で継ぎ合せ出来る抄紙機布。
【請求項４０】
前記付加的なＣＤ糸が、抄紙機布の機織工程の後で、前記基礎布の前記隣接した継目でない領域の中に縫込まれる、請求項３７に記載の機械上で継ぎ合せ出来る抄紙機布。
【請求項４１】
前記付加的なＣＤ糸が単繊維、多繊維、組まれた、編まれた及び撚られた糸から成っている各種糸のグループから選ばれる、請求項３７に記載の機械上で継ぎ合せ出来る抄紙機布。
【請求項４２】
前記付加的なＣＤ糸が円形、卵形、矩形及び葉片形より成るグループから選ばれた断面形状を有している糸を含む、請求項３７に記載の機械上で継ぎ合せ出来る抄紙機布。
【請求項４３】
前記付加的なＣＤ糸が前記ＣＤ糸と同じタイプの糸である、請求項３７に記載の機械上で継ぎ合せ出来る抄紙機布。
【請求項４４】
前記付加的なＣＤ糸が前記ＣＤ糸とは異なるタイプの糸である、請求項３７に記載の機械上で継ぎ合せ出来る抄紙機布。
【請求項４５】
前記付加的な流れ抵抗材料が前記基礎布の前記隣接した継目でない領域に付加された、織られた材料のリボンである、請求項３６に記載の機械上で継ぎ合せ出来る抄紙機布。
【請求項４６】
前記織られた材料のリボンが縫製により取付けられる、請求項４５に記載の機械上で継ぎ合せ出来る抄紙機布。
【請求項４７】
前記織られた材料のリボンが接着剤により取付けられる、請求項４５に記載の機械上で継ぎ合せ出来る抄紙機布。
【請求項４８】
前記付加的な流れ抵抗材料が前記基礎布の前記隣接した継目でない領域に付加された、不織材料のリボンである、請求項３６に記載の機械上で継ぎ合せ出来る抄紙機布。
【請求項４９】
前記不織材料のリボンが縫製により取付けられる、請求項４８に記載の機械上で継ぎ合せ出来る抄紙機布。
【請求項５０】
前記不織材料のリボンが接着剤により取付けられる、請求項４８に記載の機械上で継ぎ合せ出来る抄紙機布。
【請求項５１】
前記付加的な流れ抵抗材料が前記基礎布の前記隣接した継目でない領域に付加された、重合体フィルムのリボンである、請求項３６に記載の機械上で継ぎ合せ出来る抄紙機布。
【請求項５２】
前記重合体フィルムのリボンが縫製により取付けられる、請求項５１に記載の機械上で継ぎ合せ出来る抄紙機布。
【請求項５３】
前記重合体フィルムのリボンが接着剤により取付けられる、請求項５１に記載の機械上で継ぎ合せ出来る抄紙機布。
【請求項５４】
前記付加的な流れ抵抗材料が前記基礎布の前記隣接した継目でない領域における発泡重合樹脂である、請求項３６に記載の機械上で継ぎ合せ出来る抄紙機布。
【請求項５５】
前記付加的な流れ抵抗材料が前記基礎布の前記隣接した継目でない領域における液体樹脂の硬化物である、請求項３６に記載の機械上で継ぎ合せ出来る抄紙機布。
【請求項５６】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されているエンドレス織基礎布より成っている、請求項３６に記載の機械上で継ぎ合せ出来る抄紙機布。
【請求項５７】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されている不織網より成っている、請求項３６に記載の機械上で継ぎ合せ出来る抄紙機布。
【請求項５８】
前記機械上で継ぎ合せ出来る抄紙機布が連結されてエンドレスループの形になり、そのエンドレスループは、内側と外側を持っていて且つ更に前記内側と外側の少なくとも一つにそこを通って絡み合わされている少なくとも一層のステープルファイバー打綿により積層されている螺旋状に巻かれた基礎布より成っている、請求項３６に記載の機械上で継ぎ合せ出来る抄紙機布。
【発明の詳細な説明】
【０００１】
【発明の属する技術分野】
本発明は抄紙技術に関する。更に詳しくは、本発明は抄紙機のプレス部における機械上で継ぎ合せ出来る（ＯＭＳＲ  ）プレス布のような、ＯＭＳＲ  種類の抄紙機布である。
【０００２】
【従来の技術】
抄紙工程中に、繊維質巻取紙は抄紙機の形成部で動いている形成布の上に繊維質スラリー、即ちセルロース繊維の水分散液、を沈澱させることによって形成される。多量の水分がこの工程中に、形成布の表面の繊維質巻取紙を離れて、形成布を通りスラリーから排出される。
【０００３】
新しく形成された巻取紙は形成部から一連のプレスニップを含むプレス部に進む。繊維質巻取紙は一つのプレス布、又は多くの場合二つのプレス布の間、に支えられてプレスニップを通過する。プレスニップ中で、繊維質巻取紙はそこから水分を絞り出し、且つシート内に繊維質巻取紙を回して巻取紙に繊維を付着させる圧縮力を受ける。水はプレス布により受取られて、理想的には巻取紙には戻らない。
【０００４】
最後に巻取紙は、蒸気によって内部加熱された少なくとも一連の回転乾燥機ドラム又は円筒を含む、乾燥機部に進む。巻取紙、又は新しく形成された紙シート、それ自身はドラムの表面に対して巻取紙を密接して保持する乾燥機布により、一連のドラムの各々の周りを連続して曲りくねった通路に案内される。加熱されたドラムは蒸発により望ましいレベルにまで巻取紙の含水量を下げる。
【０００５】
形成、プレス及び乾燥機の布すべてが抄紙機上でエンドレスループの形態とコンベヤーに似た機能をとることは認識されるべきである。更に紙製造はかなりの速度で進行する連続工程であることも認識されるべきである。換言すれば、繊維質スラリーが形成部で形成布の上に連続的に沈殿させられる一方、新しく製造された紙シートは乾燥機部から出た後ロールの上に連続的に巻取られる。
【０００６】
さしあたり、明確にプレス布に関しては、以前にはプレス布はエンドレスの形でだけ供給されたことを思い起すべきである。このことは新しく形成された紙シートがプレスニップ中でのプレス布のどんな非一様性によるマークにも極度に敏感であると云う理由からである。エンドレス織として知られる工程により作られたもののような、エンドレスで継目のない布はその縦（機械）と横（機械に直交する）方向の両方で一様な構造を持つ。抄紙機に取付ける時にプレス布をエンドレスの形に閉じるのに使用される継目のような、継目はプレス布の一様構造の中に不連続性を表す。それで、継目の使用は紙シートがプレスニップ中でマークを付けられるであろう可能性を大きく増大させる。
【０００７】
要するに、どんな実用可能な機械上で継ぎ合せ出来る（ＯＭＳＲ  ）プレス布の継目領域も負荷下、即ちプレスニップ中の圧縮下、でプレス布の残りの部分と同様に振舞わねばならず、又継目領域で製造されている紙製品の周期的なマークを防ぐために、プレス布の残りの部分と同じ水や空気に対する透過性を持たねばならない。ＯＭＳＲ  はアルバニーインターナショナル社の登録商標である。
【０００８】
これらの必要条件で明らかにされた可成りの技術的障害にも拘らず、それのプレス部への取付けが比較的容易に且つ安全に出来る理由で、機械上で継ぎ合せ出来る（ＯＭＳＲ  ）プレス布の開発には高い要望が残された。結局、これらの障害は布の二つの端の反対の縁に継ぎ合せループを備えることにより形成された継目を有しているプレス布の開発で克服された。継ぎ合せループそれ自身は布の機械方向（ＭＤ）糸により形成される。継目は布の両端を一緒に持って来て、布の両端で継ぎ合せループを絡み合わせ、且つ布の両端を固定するため絡み合わされた継ぎ合せループにより規定された通路を通って、所謂ピン又はピントルを導入することにより形成される。言うまでもないことだが、抄紙機にエンドレスプレス布を取付けることよりも、ＯＭＳＲ  を取付けることは遙かに容易であり且つ消費時間もずっと少ない。
【０００９】
斯かる継目により抄紙機上で連結できるプレス布を作るには幾つかの方法がある。一つの方法は縦糸がプレス布の機械方向（ＭＤ）糸である場合に、布を平織にすることである。継ぎ合せループを作るには、縦糸の端は縦糸に平行な方向に布本体の中に幾分離して織返される。もっと遙かに好ましいもう一つの技術は、通常エンドレスループの布を作るのに使用されるエンドレス織の変形である。変形エンドレス織では、横糸は織機を横切って、ループ形成ピンの周りを通って織られている布の縁の一つに出来たループの通路の中を、行ったり来たりして連続的に織られる。最後にはプレス布のＭＤ糸になる横糸は連続しているので、この方法で得られた継ぎ合せループは縦糸の端を平織布の端の中に織返して造ることの出来るどんなものよりも強い。尚もう一つの方法では、布はエンドレスに織られる、そしてそれにより得られたエンドレスループの布は平らにされて、平らにされたループの二つの横の端で互いに連結された二層の布の形を与えられる。そこで一つ又はそれ以上の横糸が二つの横の端の各々から取除かれて、各端における縦糸の自由になった、即ち新しくほどかれた、部分により規定された短い隙間を作り出す。そこで縦糸のこれらほどかれた部分は二つの横の端が上述の如く一緒に持寄られた時に継ぎ合せループとして使用される。
【００１０】
【発明が解決しようとする課題】
一般に、機械上で継ぎ合せ出来る（ＯＭＳＲ  ）プレス布の製造はそれの片側又は両側へのステープルファイバー打綿の付加を含む。この付加は縫込み（繊維固定）又は水力絡み合せと呼ばれる工程により実行され、その間ＯＭＳＲ  布はエンドレスの形に連結される。いったん望みの量のステープルファイバー打綿が付加されたら、ループを作っているピン又はピントルはＯＭＳＲ  プレス布を出荷及び抄紙機への不時の取付けのために平らな形に置くため取外される。この時、ステープルファイバー打綿はＯＭＳＲ  プレス布の両端を互いに完全に分離するよう継目の近傍で切断されねばならない。しばしば、ステープルファイバー打綿はＯＭＳＲ  プレス布がエンドレスの形に再連結される時、継ぎ合せループの上に重ねぶたを形成することが出来るように切断される。この方法で、継目領域はプレス布の紙を支える側の残りの部分とは実際上区別できなくなる。
【００１１】
然し、プレス布の他の側、“ロール”側、では、幾らかのステープルファイバー打綿はそこを通るピントルの後程の通過を容易にするため継ぎ合せループから取除かれねばならない。それにも拘らず、ステープルファイバー打綿のこの一般的には少量の除去は継目領域をプレス布の残りの部分よりは空気と水を僅かに透過し易くする。水の透過性又は流れ抵抗のこの違いは、たとえどんなに僅かでも、或状況ではシートにマークを付ける充分な原因になる。
【００１２】
この問題を解決するため幾つかの手法がとられた。一つの手法はＯＭＳＲ  プレス布が抄紙機上でエンドレスの形に連結される時、ピントルと共に詰物糸を使うことを含む。
【００１３】
高い空隙容積と水処理能力を要求している布が必要な時は、一つだけの継目の使用は紙シートにマークを付ける不連続性の結果になるであろう。一体に織られた四層布で二つの継目の使用が提案された。二つの継目は他の頂部に一列に並べられる。
【００１４】
もう一つの手法では、ＯＭＳＲ  プレス布は、一つが他のループの中にぴったり合っている、縫込み工程中に互いに積層される二つの別々の機械上で継ぎ合せ出来る基礎布よりなっている。内側と外側の基礎布の継目領域は互いに僅かにずれている、それ故各々の継目領域は他の継目でない領域と一致するであろう。
【００１５】
縫込み工程の後、ステープルファイバー打綿はＯＭＳＲ布の両端のお互いの分離を容易にするため表側（紙側）の継目の近くで切断されねばならない。表側の他の側の継目では、幾らかのステープルファイバーは継ぎ合せループが共に噛み合わされる時にそこを通るピントルの通過を容易にするため継ぎ合せループから取除かれねばならない。
【００１６】
更に、幾らかのステープルファイバーはそれらの継ぎ合せループが共に噛み合わされる時に形成される継目を通るピントルの通過を容易にするため底（ロール側）継ぎ合せループの裏側からも取除かれねばならない。
【００１７】
これらの手法のすべてはＯＭＳＲ  プレス布の継目領域の透水性又は流れ抵抗とプレス布の残りの部分又は本体との間の違いを補償するよう設計される。然し、これらの手法はすべてのプレスタイプと位置について及びすべての紙の等級について完全に満足すべき結果は産み出さなかった。
【００１８】
本発明はこの問題の解決に向けての代りの手法を呈示する。
【００１９】
【課題を解決するための手段】
従って、本発明は第一基礎布と第二基礎布より成る機械上で継ぎ合せ出来る抄紙機布である。
【００２０】
第一基礎布は第一機械方向（ＭＤ）糸のシステムと第一機械に直交する方向（ＣＤ）糸のシステムを持ち、第一ＭＤ糸は第一ＣＤ糸と織合わされている。第一基礎布は長さ、幅、二つの縦の縁及び二つの横の縁を持つ矩形の形状を持つ。第一ＭＤ糸は第一基礎布の二つの横の縁の各々に沿って第一継ぎ合せループを形成する。
【００２１】
同様に、第二基礎布は第二ＭＤ糸のシステムと第二ＣＤ糸のシステムを持ち、第二ＭＤ糸は第二ＣＤ糸と織合わされている。第二基礎布は同じく長さ、幅、二つの縦の縁及び二つの横の縁を持つ矩形の形状を持つ。第二ＭＤ糸は第二基礎布の二つの横の縁の各々に沿って第二継ぎ合せループを形成する。
【００２２】
第一基礎布と第二基礎布は実質的に等価な長さと幅を有し、又縫込みによりそこを通って絡み合わされた少なくとも一層のステープルファイバー打綿により互いに連結される。連結した時に、第一と第二基礎布は縦方向にお互いに関してずらされる。結果として、第一基礎布の一つの横の縁における第一継ぎ合せループは第二基礎布の継目でない領域と一致し、又第二基礎布の一つの横の縁における第二継ぎ合せループは第一基礎布の継目でない領域と一致する；
本発明に従って、第一と第二基礎布のこれら一致した継目でない領域はその中に含まれた付加的な流れ抵抗材料を持つ。
【００２３】
機械上で継ぎ合せ出来る抄紙機布は第一基礎布の二つの横の縁における第一継ぎ合せループを絡み合わせて且つ第一継目を形成するべく絡み合わされた第一継目ループにより規定された通路に第一ピントルを導入すること、及び第二基礎布の二つの横の縁における第二継ぎ合せループを絡み合わせて且つ第二継目を形成するべく絡み合わされた第二継目ループにより規定された通路に第二ピントルを導入することによりエンドレスループの形に連結される。その中に含まれた付加的な流れ抵抗材料を有している、一致した継目でない領域は第一と第二継目に沿って並び且つ機械上で継ぎ合せできる抄紙機布の残りの部分と実質的には同等な空気と水に対する近傍透過性を与える。
【００２４】
別案として、本機械上で継ぎ合せできる抄紙機布は第一機械方向（ＭＤ）糸のシステム、第二機械方向（ＭＤ）糸のシステム、及び少なくとも一つの機械に直交する方向（ＣＤ）糸のシステムを有する基礎布より成る。少なくとも一つのＣＤ糸のシステムは長さ、幅、二つの縦の縁と二つの横の縁を持つ矩形に一体で織られた多層構造を形成するべく第一と第二ＭＤ糸のシステムと織合わされる。
【００２５】
前記第一と第二ＭＤ糸は前記二つの横の縁の各々に沿って布の厚さ方向に互いに分離した二つの別個の列でそれぞれ第一と第二継目ループを形成する。二つの別個の列は前記基礎布の縦方向に互いにずらされてもいる。結果として、基礎布の一つの横の縁における第一継ぎ合せループはそれの継目でない領域と一致し、又基礎布の他の縁における第二継ぎ合せループはそれのもう一つの継目でない領域と一致する。
【００２６】
機械上で継ぎ合せ出来る抄紙機布が基礎布の二つの横の縁における前記第一継ぎ合せループを互いに絡み合わせて且つ第一継目を形成するべく絡み合わされた第一継目ループにより規定された通路に第一ピントルを導入すること、及び基礎布の二つの横の縁における第二継ぎ合せループを互いに絡み合わせて且つ第二継目を形成するべく絡み合わされた第二継目ループにより規定された通路に第二ピントルを導入することによりエンドレスループの形に連結される時、一致した継目でない領域は第一と第二継目に沿って並び且つ機械上で継ぎ合せ出来る布の残りの部分のそれらに実質的には同等な空気と水に対する近傍透過性を与えるように、一致した継目でない領域は再びその中に含まれる付加的な流れ抵抗材料を有する。
【００２７】
本発明は今以下に図面で確認しながらより詳細に説明されるであろう。
【００２８】
【発明の実施の形態】
今明確に図面に戻ると、図１は機械上で継ぎ合せできる（ＯＭＳＲ  ）抄紙機布１０の概略透視図である。布はその二つの端１２、１４が継目１６で互いに連結されたエンドレスループの形をとる。
【００２９】
図２は図１の２−２線で示されたようにとられた断面図である。抄紙機布１０は二つの機械上で継ぎ合せできる（ＯＭＳＲ  ）基礎布２０、３０を有している種類のものである。外側基礎布２０は内側基礎布３０を取巻き、後者は前者のエンドレスループの形の内部でエンドレスループの形に連結されている。内側基礎布３０は外側基礎布２０と実質上同じ長さである、それ故継目３２は継目２２がピントル２４の導入によって閉じられるのと、同時又は直前又は直後にピントル３４の導入によって閉じられる。内側基礎布３０と外側基礎布２０は二つの基礎布２０、３０を互いに連結するために基礎布２０、３０の少なくとも一つの中にステープルファイバー打綿の一つ又はそれ以上の層を縫込むことにより互いに連結させられる。明解のために、ステープルファイバー打綿４０は図２の一部でだけ示されているが、打綿４０は継ぎ合せループ４２、４４の噛み合せを容易にするため工程の間取除かれることから、それは継目１６のすぐ近くの領域を除くすべての地点で内側と外側基礎布３０、２０を互いに連結することは理解されるべきである。打綿４０は抄紙機織物の生産に使用されるどんな重合体樹脂のステープルファイバーより成っても良いが、なるべくならポリアミドが良い。
【００３０】
外側基礎布２０は縦、即ち機械方向（ＭＤ）、糸２６と横、即ち機械に直交する方向（ＣＤ）、糸２８から織られる。ＭＤ糸２６は絡み合わされて且つ継目２２を形成するため絡み合わされた継ぎ合せループ４２により規定された通路を通ってピントル２４を導入することにより互いに連結する継ぎ合せループ４２を形成する。
【００３１】
同様に、内側基礎布３０は縦、即ち機械方向（ＭＤ）、糸３６と横、即ち機械に直交する方向（ＣＤ）、糸３８から織られる。ＭＤ糸３６は絡み合わされて且つ継目３２を形成するため絡み合わされた継ぎ合せループ４４により規定された通路を通ってピントル３４を導入することにより互いに連結する継ぎ合せループ４４を形成する。
【００３２】
図３は図１の３−３線で示されたようにとられた断面図である。外側基礎布２０は内側基礎布３０から全く離れているように示されている、明解のために分離の距離は誇張してある。外側基礎布２０を内側基礎布３０に連結するステープルファイバー打綿４０も明解のために省略してある。
【００３３】
図２では継目２２、３２が互いに縦にずらされている二つの複層基礎布２０、３０より成っている布１０を示しているが、そこに示されている実施例の変更は本発明の範囲から外れることなく為されても良い。例えば、複層基礎布２０、３０は互いに異なっているＭＤ糸２６、３６及び／又はＣＤ糸２８、３８を持っても良い。更に、二つの複層基礎布２０、３０は各々違った織柄で織られても良い。
【００３４】
二つの基礎布２０、３０の一つ、又は両方とも単層布であっても良い。
【００３５】
もう一つの実施例では、エンドレス織基礎布は縦にずれた継目を持っている二つの機械上で継ぎ合せできる基礎布のどの組合せの頂部に重ねても良い。エンドレス基礎布はどんな織パターンでも又どんな種類の糸を含んでも良い。
【００３６】
更に、共通に譲渡された米国特許Ｎｏ．４，４２７，７３４で開示されたような不織網、ここで参照に組込まれている教示、又は共通に譲渡された米国特許Ｎｏ．５，３６０，６５６の教示に従って造られた螺旋状に巻かれた基礎布、ここでも参照に組込まれている教示、は縦方向にずれた継目を持っている二つの機械上で継ぎ合せできる基礎布のどの組合せの頂部に重ねても良い。
【００３７】
尚更に、エンドレス織基礎布、米国特許Ｎｏ．４，４２７，７３４で開示されたような不織網、又は米国特許Ｎｏ．５，３６０，６５６の教示に従って造られた螺旋状に巻かれた基礎布は縦方向にずれた継目を持っている二つの機械上で継ぎ合せできる基礎布のどの組合せの裏側に重ねても良い。
【００３８】
例えば図４は、縦方向にずれた継目を持っている二つの機械上で継ぎ合せできる基礎布の両側に重ねられたエンドレス織基礎布を持っている本発明の実施例の、図２で与えられたものに類似の断面図である。
【００３９】
機械上で継ぎ合せできる抄紙機布５０は外側基礎布２０の外側にエンドレス基礎布５２及び内側基礎布３０の内側にエンドレス基礎布５４を含む。エンドレス基礎布５２、外側と内側基礎布２０、３０、及びエンドレス基礎布５４はすべて積層構造を通して縫込まれたステープルファイバーの打綿４０により一緒に連結される。上記と同じく、打綿４０は明解のために図４の一部でだけ示されている。
【００４０】
最後に、本発明は二つ以上の機械上で継ぎ合せできる基礎布を用いても実行できて、それらの継目は布１０を造るのに互いに縦方向にずらされることは理解されるべきである。斯かる場合一般に、複数（二つ以上）の機械上で継ぎ合せできる基礎布は構造体の片側又は両側にステープルファイバー打綿を縫込みにより取付けることにより接着又は積層される。
【００４１】
ＭＤ糸２６、ＣＤ糸２８、ＭＤ糸３６及びＣＤ糸３８は各々抄紙機織物を織るのに使用されるどんなタイプの糸であっても良い。換言すれば、単独で使用される単繊維撚り糸である単繊維糸、又は撚った／捻った糸は、撚った単繊維又は撚った多繊維糸の形でどんなこれらの糸でも使用できる。
【００４２】
更に、ＭＤ糸２６、ＣＤ糸２８、ＭＤ糸３６及びＣＤ糸３８を構成している繊維は、ポリアミド、ポリエステル、ポリエーテルケトン、ポリプロピレン、ポリアラミド、ポリオレフィン及びポリエチレンテレフタレート（ＰＥＴ）樹脂のような、合成重合体樹脂材料から押出成型され、且つ織物産業において又特に抄紙機織物産業において周知の技術に従って糸に組込まれる。
【００４３】
ピントル２４、３４は単繊維の単独の撚り糸；単繊維の多重撚り糸；互いに捩っていない、又は互いに撚られた、捩られた、組まれた又は編まれた単繊維の多重撚り糸；又は抄紙機織物で継目を連結するのに使用されるどんなその他のタイプのピントルであっても良い。ピントル２４、３４は前節でリストしたような合成重合体樹脂材料から押出成型されても良い。
【００４４】
外側基礎布２０の継目２２が内側基礎布３０の継目３２から縦方向にずらされていることは図２で観察されるであろう。結果として、外側基礎布２０の継目２２の領域は内側基礎布３０の継目でない領域４６と一致する。同様に、内側基礎布３０の継目３２の領域は外側基礎布３０の継目でない領域４８と一致する。
【００４５】
本発明に従って、継目２２、３２の上下の継目でない領域４６、４８は製造工程中及び抄紙機上での全生涯の両方で継目２２、３２から失われた流れ抵抗を補償するためそれぞれ付加的な流れ抵抗材料を含む。どの場合も、流れ抵抗は打綿繊維が継目２２、３２の近くから失われた理由で失われた。製造工程中、打綿繊維は製造工程中に使用されるピントルの交換を容易にするため抄紙機布の継ぎ合せループの紙側でない方即ち底側から取除かれる。打綿繊維は又抄紙機上での継ぎ合せの間ピントルをより容易に導入できるよう継ぎ合せループ４２、４４からも取除かれる。最後に、ステープルファイバー打綿４０が継目１６の近傍でそこの上で重ねぶたが出来るように切断される時、幾らかの繊維は必然的に失われ、低い流れ抵抗を結果する。
【００４６】
抄紙機上での実用期間の間、流れ抵抗は継目の重ねぶたと重ねぶたの無い側の両方で打綿の摩滅によって先ず失われる。本発明によれば、継目２２、３２に隣接する継目でない領域４６、４８の流れ抵抗はそれぞれ打綿繊維の損失による継目２２、３２の不適当な流れ抵抗を補償するため流れ抵抗材料の付加により増加させられる。
【００４７】
流れ抵抗材料は多数の形のうちどの一つをとっても良い。第一に、継目でない領域４６、４８は内側と外側基礎布３０、２０の機織中、又はその後で付加的なＣＤ糸を与えられても良い。付加的なＣＤ糸は必要なレベルの流れ抵抗を与えるために適当な重量とサイズの単繊維、多繊維、織られた、組まれた、編まれた又は撚られた糸であって良い。これらは円形、卵形、矩形、葉片形又はその他の形の断面を持って良い。付加的なＣＤ糸は機能的なＣＤ糸２８、３８と同じタイプか又は違っていても良い。更に、付加的なＣＤ糸は機能的なＣＤ糸と同じ織パターン及び／又はカウント（インチ当りの数）又は違った織パターン及び／又はカウントで織られても良い。
【００４８】
第二に、単繊維、多繊維、織られた、組まれた、編まれた又は撚られた糸は上記と同じ結果を達成するため継目でない領域４６、４８の中に縫込まれて良い。再び、これらは円形、卵形、矩形、葉片形又はその他の形の断面を持って良い。第三に、織られた又は不織材料又は重合体フィルムのリボンが継目でない領域４６、４８に適用されて縫われるか又は接着剤でそこに取付けられても良い。
【００４９】
最後に、発泡重合体又は液体樹脂が継目でない領域４６、４８に塗布されて望ましい付加的な流れ抵抗を与えるために硬化されても良い。
【００５０】
図５は本発明のもう一つの実施例の断面図である。機械上で継ぎ合せできる抄紙機布６０は第一ＭＤ糸６２のシステムと第二ＭＤ糸６４のシステムより成っている一体織の多層構造である。第一ＭＤ糸６２のシステムと第二ＭＤ糸６４のシステムはＣＤ糸６６の少なくとも一つのシステムと織合わされる。
【００５１】
第一ＭＤ糸６２は布６０の両端で第一継ぎ合せループ６８を形成する。第一継ぎ合せループ６８は前述した周知の方法でそこを通ってピントル７２を案内することにより閉じられる第一継目７０を形成する。
【００５２】
同様に、第二ＭＤ糸６４は布６０の両端で第二継ぎ合せループ７４を形成する。第二継ぎ合せループ７４はそこを通ってピントル７８を案内することにより閉じられる第二継目７６を形成する。
【００５３】
第一継ぎ合せループ６８と第二継ぎ合せループ７４は布６０の厚さ方向に互いに分離され、又縦方向に互いにずれている。結果として、第一継目７０は継目でない領域８０と一致し且つ第二継目７６は継目でない領域８２と一致する。打綿８４は布６０の全構造にわたって絡み合わされるが、明解のために、図５の一部だけで示されている。
【００５４】
継目でない領域８０、８２は製造工程中及び抄紙機上での全生涯の両方で継目７０、７６から失われた流れ抵抗を補償するため上記の種類の付加的な流れ抵抗材料を含む。
【００５５】
図６は、図３で与えられたのと同様な、布６０の一体織多層構造を示している図５に示された実施例の断面図である。示された織パターンはこの目的に使用され得る多くの中のほんの一例である。
【００５６】
上記に対する変更は通常の当業者には明らかであろうが、その変更は本発明の請求範囲を越えるものではないであろう。
【図面の簡単な説明】
【図１】本発明の機械上で継ぎ合せできる（ＯＭＳＲ  ）プレス布の透視図。
【図２】図１の２−２線で示された断面図。
【図３】図１の３−３線で示された断面図。
【図４】図２と同様な、本発明の代りの実施例の断面図。
【図５】図２と同様な、本発明のもう一つの実施例の断面図。
【図６】図３と同様な、図５で示された実施例の断面図。
【符号の説明】
１０、５０、６０    機械上で継ぎ合せできる抄紙機布
１２、１４    エンドレスループの端部
１６、２２、３２、７０、７６    継目
２０    外側基礎布
２４、３４、７２    ピントル
２６、３６、６２、６４    ＭＤ糸
２８、３８、６６    ＣＤ糸
３０    内側基礎布
４０、８４    ステープルファイバー打綿
４２、４４、６８、７４    継ぎ合せループ
４６、４８、８０、８２    継目でない領域
５２、５４        エンドレス基礎布
【図１】
0003615413.tif 000002
【図２】
0003615413.tif 000003
【図３】
0003615413.tif 000004
【図４】
0003615413.tif 000005
【図５】
0003615413.tif 000006
【図６】
0003615413.tif 000007